(57)【要約】【課題】仮止め体を仮止め解除動作させる操作力を軽減すること。【解決手段】被仮止め体に、植付装置上昇操作側に弾性付勢する植付装置上昇操作側付勢手段を連結すると共に、同植付装置上昇操作側付勢手段に支点越え部材を設けて、植付装置昇降レバーの植付装置下降操作及び植付クラッチ接続操作時に、上記支点越え部材が植付装置昇降レバーの回動支点を越えて、同植付装置昇降レバーを被仮止め体を介して植付クラッチ接続操作側に弾性付勢すべく構成した。【選択図】        図１
2004275144.tif 000002
【特許請求の範囲】
【請求項１】
走行機体の後方に植付装置を昇降可能に連結すると共に、同走行機体に変速レバーと植付装置昇降レバーとを設け、両レバーをバック連動機構を介して連動連結して、変速レバーの後進変速操作に植付装置昇降レバーの植付装置上昇操作を連動させた乗用田植機であって、
バック連動機構は、植付装置昇降レバーと一体的に回動すると共に植付装置上昇操作側に弾性付勢された被仮止め体と、同被仮止め体に係合して仮止めすると共に仮止め方向に弾性付勢された仮止め体と、同仮止め体と変速レバーとを連動連結する連動連結体と、上記被仮止め体に連結すると共に植付クラッチ切断方向に弾性付勢された植付クラッチ接続・切断アームとを具備する乗用田植機において、
被仮止め体に、植付装置上昇操作側に弾性付勢する植付装置上昇操作側付勢手段を連結すると共に、同植付装置上昇操作側付勢手段に支点越え部材を設けて、植付装置昇降レバーの植付装置下降操作及び植付クラッチ接続操作時に、上記支点越え部材が植付装置昇降レバーの回動支点を越えて、同植付装置昇降レバーを被仮止め体を介して植付クラッチ接続操作側に弾性付勢すべく構成したことを特徴とする乗用田植機。
【請求項２】
植付クラッチ接続・切断アームの切断方向への弾性付勢力は、植付装置昇降レバーの植付クラッチ接続操作側への弾性付勢力よりも大きくなるように設定したことを特徴とする請求項１記載の乗用田植機。
【発明の詳細な説明】
【０００１】
【発明の属する技術分野】
本発明は、乗用田植機に関する。
【０００２】
【従来の技術】
従来、乗用田植機の一形態として、走行機体の後方に植付装置を昇降可能に連結すると共に、同走行機体に、変速レバーと植付装置昇降レバーとを設け、両レバーをバック連動機構を介して連動連結して、変速レバーの後進変速操作に植付装置昇降レバーの植付装置上昇操作を連動させたものがある（例えば、特許文献１参照）。
【０００３】
すなわち、バック連動機構は、植付装置昇降レバーに植付装置上昇操作側に弾性付勢する上昇側引張スプリングを連結して、同植付装置昇降レバーにより植付装置上昇制御用の油圧バルブのスプールを確実に押圧作動させることができるようにしている。
【０００４】
そして、植付装置昇降レバーに被仮止め体を設けて、植付装置下降操作さらには植付装置クラッチ入り操作時には、被仮止め体が仮止め体により仮止めされて、植付装置昇降レバーを操作位置に保持させることができるようにしている。
【０００５】
ここで、仮止め体には、仮止め方向に弾性付勢する仮止め用引張スプリングを連結している。
【０００６】
また、変速レバーに上記仮止め体を連動連結すると共に、同変速レバーに後進変速操作姿勢を保持するための後進姿勢保持手段を設けている。
【０００７】
このようにして、バック連動機構では、変速レバーを後進変速操作すると、仮止め体が仮止め用引張スプリングの弾性付勢力に抗して仮止め解除動作され、そうすると植付装置昇降レバーが上昇側引張スプリングにより植付装置上昇側に回動されて、植付装置上昇制御用の油圧バルブのスプールを確実に押圧作動させて、植付装置を上昇作動させることができるようにしている。
【０００８】
この際、変速レバーは、後進姿勢保持手段により後進変速操作姿勢に保持されるようにしている。
【０００９】
【特許文献１】
特開２００１−３５２８１０号公報
【００１０】
【発明が解決しようとする課題】
ところが、上記したバック連動機構では、次のような課題を有している。
【００１１】
すなわち、植付装置昇降レバーにより植付装置上昇制御用の油圧バルブのスプールを確実に押圧作動させるべく、上昇側引張スプリングの弾性付勢力を大きく設定している。
【００１２】
そのために、かかる上昇側引張スプリングの弾性付勢力に抗して植付装置昇降レバーを植付装置下降操作位置さらには植付装置クラッチ入り操作位置に保持させるべく、仮止め用引張スプリングの弾性付勢力も大きく設定している。
【００１３】
その結果、かかる仮止め用引張スプリングの弾性付勢力に抗して変速レバーを後進操作して、同仮止め体を仮止め解除動作させるのに大きな操作力を必要とすると共に、同変速レバーを後進姿勢に保持する後進姿勢保持手段の作用力を大きくする必要性が生じている。そのために、変速レバーを前進側に操作するのに大きな操作力を必要としている。
【００１４】
【課題を解決するための手段】
そこで、本発明では、走行機体の後方に植付装置を昇降可能に連結すると共に、同走行機体に変速レバーと植付装置昇降レバーとを設け、両レバーをバック連動機構を介して連動連結して、変速レバーの後進変速操作に植付装置昇降レバーの植付装置上昇操作を連動させた乗用田植機であって、バック連動機構は、植付装置昇降レバーと一体的に回動すると共に植付装置上昇操作側に弾性付勢された被仮止め体と、同被仮止め体に係合して仮止めすると共に仮止め方向に弾性付勢された仮止め体と、同仮止め体と変速レバーとを連動連結する連動連結体と、上記被仮止め体に連結すると共に植付クラッチ切断方向に弾性付勢された植付クラッチ接続・切断アームとを具備する乗用田植機において、被仮止め体に、植付装置上昇操作側に弾性付勢する植付装置上昇操作側付勢手段を連結すると共に、同植付装置上昇操作側付勢手段に支点越え部材を設けて、植付装置昇降レバーの植付装置下降操作及び植付クラッチ接続操作時に、上記支点越え部材が植付装置昇降レバーの回動支点を越えて、同植付装置昇降レバーを被仮止め体を介して植付クラッチ接続操作側に弾性付勢すべく構成したことを特徴とする乗用田植機を提供するものである。
【００１５】
また、本発明は、植付クラッチ接続・切断アームの切断方向への弾性付勢力は、植付装置昇降レバーの植付クラッチ接続操作側への弾性付勢力よりも大きくなるように設定したことにも特徴を有する。
【００１６】
【発明の実施の形態】
以下に、本発明の実施の形態について説明する。
【００１７】
すなわち、本発明に係る乗用田植機は、走行機体の後方に植付装置を昇降可能に連結すると共に、同走行機体に変速レバーと植付装置昇降レバーとを設け、両レバーをバック連動機構を介して連動連結して、変速レバーの後進変速操作に植付装置昇降レバーの植付装置上昇操作を連動させている。
【００１８】
そして、バック連動機構は、植付装置昇降レバーと一体的に回動すると共に植付装置上昇操作側に弾性付勢された被仮止め体と、同被仮止め体に係合して仮止めすると共に仮止め方向に弾性付勢された仮止め体と、同仮止め体と変速レバーとを連動連結する連動連結体と、上記被仮止め体に連結すると共に植付クラッチ切断方向に弾性付勢された植付クラッチ接続・切断アームとを具備している。
【００１９】
しかも、被仮止め体に、植付装置上昇操作側に弾性付勢する植付装置上昇操作側付勢手段を連結すると共に、同植付装置上昇操作側付勢手段に支点越え部材を設けて、植付装置昇降レバーの植付装置下降操作及び植付クラッチ接続操作時に、上記支点越え部材が植付装置昇降レバーの回動支点を越えて、同植付装置昇降レバーを被仮止め体を介して植付クラッチ接続操作側に弾性付勢すべく構成している。
【００２０】
さらには、植付クラッチ接続・切断アームの切断方向への弾性付勢力は、植付装置昇降レバーの植付クラッチ接続操作側への弾性付勢力よりも大きくなるように設定している。
【００２１】
【実施例】
以下に、本発明の実施例を、図面を参照しながら説明する。
【００２２】
図１及び図２に示すＡは、本発明に係る乗用田植機であり、同乗用田植機Ａは、走行機体１の後方位置に昇降連結機構２を介して植付装置３を昇降自在に連結している。
【００２３】
走行機体１は、図１及び図２に示すように、機体フレーム４上の前部に原動機部５を設けると共に、後部に運転部６を設けており、同機体フレーム４の左右方向の中央部には、前後方向に伸延するミッション部７を設け、同ミッション部７の前部にフロントアクスルケース８を介して左右一対の前車輪９，９を取り付けると共に、後部にリヤアクスルケース１０を介して左右一対の後車輪１１，１１を取り付けている。
【００２４】
機体フレーム４は、前後方向に伸延する左・右側フレーム形成体４ａ，４ａと、両左・右側フレーム形成体４ａ，４ａの後端部間に架設した背面視門型の後部フレーム形成体４ｂとを具備しており、左・右側フレーム形成体４ａ，４ａの後半部は後上方へ上り傾斜状に形成している。
【００２５】
原動機部５は、機体フレーム４上にエンジンＥ等を搭載し、同エンジンＥ等をボンネット１２により被覆している。
【００２６】
運転部６は、ボンネット１２の後端部にダッシュボード１３を連設し、同ダッシュボード１３中にハンドルポスト１４を立設し、同ハンドルポスト１４中に挿通したハンドル支軸１５の上端部にステアリングハンドル１６を取り付け、同ステアリングハンドル１６の後方位置に運転席１７を配設している。１８は変速レバー、１９は苗継ぎレバー、２０は、植付装置３の昇降・植付の入切・植付時の変速・線引きマーカ等の操作を行う植付装置昇降レバー、２１は油圧感度調節レバー、２２はブレーキペダル、２３はアクセルペダル、２４はステップ形成体である。
【００２７】
ミッション部７は、前記エンジンＥに連動連結して、同エンジンＥから取り入れた動力を前・後車輪９，９，１１，１１と植付装置３に伝達するようにしている。
【００２８】
昇降連結機構２は、図１及び図２に示すように、前後方向に伸延して上方に配置されるトップリンク３０と、前後方向に伸延して下方に配置されるロワリンク３１と、これらのリンク３０，３１を昇降作動させる昇降シリンダ（図示せず）を具備して、これらのリンク３０，３１を前記機体フレーム４の後部フレーム形成体４ｂと、後述する植付ヒッチ体３２との間に介設している。
【００２９】
植付装置３は、図１及び図２に示すように、植付ヒッチ体３２に植付ミッションケース３３を取り付け、同植付ミッションケース３３に左右一対の植付ケース３４，３４を連動連結し、各植付ケース３４，３４の左右側後部にそれぞれロータリケース３５，３５，３５，３５を介して植付爪３６，３６，３６，３６を連動連結し、上記植付ヒッチ体３２には苗載台３７を前高後低の傾斜姿勢にて左右方向に往復動可能に取り付けている。３８はセンターフロート、３９はサイドフロートである。
【００３０】
このようにして、苗載台３７上に苗マット（図示せず）を載置して、同苗マットの下端部より植付爪３６，３６，３６，３６により苗株を切削すると共に、圃場へ植え付けて、四条の苗植付が行えるようにしている。
【００３１】
上記のような構成において、図１及び図２に示すように、前記変速レバー１８は、ステアリングハンドル１６の下方に配置すると共に、機体フレーム４に左右方向に軸線を向けて架設した変速レバー支軸４０（図３参照）に下端部を取り付けて、同変速レバー支軸４０を中心に前後方向に回動自在となしている。
【００３２】
そして、変速レバー１８は、ミッション部７内に設けた変速機構にに変速連動機構（図示せず）を介して連動連結して、中立位置を中心に前方への前進変速操作と、後方への後進変速操作とが行えるようにしている。
【００３３】
また、前記植付装置昇降レバー２０は、図１及び図２に示すように、運転席１７の右側方に配置すると共に、図３〜図６に示すように、機体フレーム４の一部を形成する右側フレーム形成体４ａの後部に左右方向に軸線を向けて取り付けた昇降レバー支軸４１に下端部を取り付けて、同昇降レバー支軸４１を中心に前後方向に回動自在となしている。
【００３４】
そして、植付装置昇降レバー２０を支持する昇降レバー支軸４１の中途部にスプール押圧作用片４２を取り付ける一方、右側フレーム形成体４ａの後部に植付装置上昇制御用（前記昇降シリンダの短縮作動制御用）の油圧バルブ４３を取り付け、同油圧バルブ４３に設けたスプール４４を上記スプール押圧作用片４２に対向させて配置している。
【００３５】
このようにして、植付装置昇降レバー２０を後方へ回動操作（植付装置上昇操作）すると、昇降レバー支軸４１を介してスプール押圧作用片４２が油圧バルブ４３のスプール４４を押圧して、昇降シリンダが短縮作動される。その結果、昇降連結機構２を介して植付装置３が上昇作動されるようにしている。４５は植付装置上昇操作検出センサ、４６はセンサ作用体である。
【００３６】
また、植付装置昇降レバー２０を前方へ回動操作（植付装置下降操作）すると、昇降レバー支軸４１を介してスプール押圧作用片４２が油圧バルブ４３のスプール４４から離隔して、植付装置３の自重により昇降シリンダが伸長作動され、昇降連結機構２を介して植付装置３が下降作動されるようにしている。
【００３７】
しかも、上記した変速レバー１８と植付装置昇降レバー２０は、図３に示すように、バック連動機構４７を介して連動連結して、変速レバー１８の後進変速操作に植付装置昇降レバー２０の植付装置上昇操作を連動させている。
【００３８】
すなわち、バック連動機構４７は、図３〜図６に示すように、植付装置昇降レバー２０を支持する昇降レバー支軸４１の左側端部に被仮止め体５０の上部を取り付ける一方、右側フレーム形成体４ａの後部に上下方向に伸延する仮止め体５１の上端部を左右方向に軸線を向けた仮止め体支軸５２を介して前後揺動自在に枢支し、同仮止め体５１の中途部に設けた仮止めピン５１ａを、上記被仮止め体５０の下端縁部に形成した複数の仮止め用凹部５０ａに係合させて仮止めするようにしている。
【００３９】
ここで、被仮止め体５０の上部端面より連結アーム５０ｂを前方へ伸延させて形成し、同連結アーム５０ｂの先端部と後部フレーム形成体４ｂに設けた連結片５３の左側端部との間に、被仮止め体５０を植付装置上昇操作側に弾性付勢する植付装置上昇操作側付勢手段５４を介設している。５５は連結ピンである。
【００４０】
また、仮止め体５１の下端部と右側フレーム形成体４ａの後部に設けた連結片５６との間には、仮止め体５１の仮止めピン５１ａが被仮止め体５０の仮止め用凹部５０ａに係合する方向に弾性付勢する仮止め用引張スプリング５７を介設している。
【００４１】
被仮止め体５０の下部後端面より突設したロッド連結片５０ｃと、ミッション部７内に設けた植付クラッチ（図示せず）に植付クラッチ操作軸５８を介して連動連結した植付クラッチ接続・切断アーム５９との間に、前後方向に伸延する連動ロッド６０を介設している。
【００４２】
ここで、植付クラッチ操作軸５８の周面にはトルクバネ６１を巻回して、同トルクバネ６１の一端６１ａをミッション部７に係止する一方、他端６１ｂを植付クラッチ接続・切断アーム５９に係止して、同トルクバネ６１により植付クラッチ接続・切断アーム５９を植付クラッチ切断方向に回動させるべく弾性付勢している。
【００４３】
また、変速レバー１８と仮止め体５１は連動連結体６２を介して連動連結しており、同連動連結体６２は、変速レバー１８を支持する変速レバー支軸４０にリンク機構６３の一端を連結すると共に、同リンク機構６３の他端に変速連動アーム６３ａを設けて、同変速連動アーム６３ａと前記仮止め体５１の下部との間に連動連結ロッド６４を介設している。
【００４４】
ここで、連結ロッド６４の後端部６４ａにはロッド伸延方向に沿って伸延する長孔６５を形成し、同長孔６５を介して仮止め体５１の下部に設けた連結ピン６６に連動連結ロッド６４の後端部６４ａを連結している。
【００４５】
このようにして、変速レバー１８を後進変速操作すると、リンク機構６３の変速連動アーム６３ａが上下方向の軸線廻りに前方へ回動して、連動連結ロッド６４を仮止め用引張スプリング５７の弾性付勢力に抗して前方へ摺動させ、同連動連結ロッド６４が仮止め体５１を仮止め体支軸５２を中心に前方（図３及び図４において時計廻り）に回動させて、同仮止め体５１の仮止めピン５１ａと被仮止め体５０の仮止め用凹部５０ａとの係合を解除する。
【００４６】
その結果、被仮止め体５０は、植付装置上昇操作側付勢手段５４とトルクバネ６１との弾性付勢力により前方（図３及び図４において時計廻り）に回動され、昇降レバー支軸４１を介してスプール押圧作用片４２が油圧バルブ４３のスプール４４を押圧して、植付装置３を上昇させる。そして、植付クラッチも切断される。
【００４７】
また、変速レバー１８を前進変速操作すると、リンク機構６３の変速連動アーム６３ａが上下方向の軸線廻りに後方へ回動して、連動連結ロッド６４を後方へ摺動させるが、同連動連結ロッド６４の後端部に形成した長孔６５により仮止め体５１は連動しない。
【００４８】
上記のような構成において、本発明の要旨は、被仮止め体５０に、植付装置上昇操作側に弾性付勢する植付装置上昇操作側付勢手段５４を連結すると共に、同植付装置上昇操作側付勢手段５４に支点越え部材６７を設けて、植付装置昇降レバー２０の植付装置下降操作及び植付クラッチ接続操作時に、上記支点越え部材６７が植付装置昇降レバー２０の回動支点を越えて、同植付装置昇降レバー２０を被仮止め体５０を介して植付クラッチ接続操作側に弾性付勢すべく構成したことにある。
【００４９】
すなわち、植付装置上昇操作側付勢手段５４は、図４及び図６に示すように、支点越え部材６７と上昇操作用引張スプリング６８とから形成しており、同支点越え部材６７は、前後方向に伸延すると共に、中途部を上方へ凸状に湾曲させて形成して支点越え部６７ａとなし、支点越え部材６７の前端部と被仮止め体５０の連結アーム５０ｂの前端部とを連結ピン５５を介して連結する一方、支点越え部材６７の後端部と後部フレーム形成体４ｂに設けた連結片５３の左側端部との間に上記上昇操作用引張スプリング６８を介設している。
【００５０】
このようにして、変速レバー１８を後進変速操作すると、前記したように仮止め体５１の仮止めピン５１ａと被仮止め体５０の仮止め用凹部５０ａとの係合を解除されて、被仮止め体５０は、トルクバネ６１の弾性付勢力により前方（図３及び図４において時計廻り）に回動され、同被仮止め体５０の連結アーム５０ｂが昇降レバー支軸４１を中心に上方（図３及び図４において時計廻り）に回動され、同連結アーム５０ｂの前端部に連結ピン５５を介して連結した植付装置上昇操作側付勢手段５４の支点越え部材６７の前端部が、昇降レバー支軸４１よりも上方に押し上げられて、支点越え状態を解除される。
【００５１】
その結果、支点越え部材６７が上昇操作用引張スプリング６８と協働して被仮止め体５０をさらに時計廻りに回動させて、昇降レバー支軸４１を介してスプール押圧作用片４２を油圧バルブ４３のスプール４４を押圧させる。
【００５２】
また、植付装置昇降レバー２０を植付装置下降操作及び植付クラッチ接続操作すると、植付装置上昇操作側付勢手段５４に設けた支点越え部材６７の支点越え部６７ａが植付装置昇降レバー２０の回動支点である昇降レバー支軸４１の直上方に位置すると共に、同支点越え部材６７の前端部と後端部とを結ぶ仮想線Ｋが昇降レバー支軸４１の下方に位置して、同仮想線Ｋの伸延方向に上昇操作用引張スプリング６８が作用するため、被仮止め体５０には後方（図３及び図４において反時計廻り）に回動させる弾性力（引張力）が作用することになる。
【００５３】
その結果、植付装置昇降レバー２０を被仮止め体５０を介して植付クラッチ接続操作側に弾性付勢することができる。
【００５４】
従って、被仮止め体５０を仮止めして、植付装置昇降レバー２０を植付装置下降操作位置ないしは植付クラッチ接続操作位置に保持する仮止め体５１の仮止め方向への弾性付勢力を低減させることができる。
【００５５】
その結果、かかる仮止め体５１の仮止め方向への弾性付勢力に抗して変速レバー１８を後進操作して、同仮止め体５１を仮止め解除動作させる操作力を軽減することができると共に、同変速レバー１８を後進姿勢に保持する後進姿勢保持手段（図示せず）の作用力を軽減することができる。そのため、後進姿勢保持手段の作用力が軽減される。
【００５６】
ここで、植付クラッチ接続・切断アーム５９の切断方向への弾性付勢力は、支点越え部材６７の支点越え作用による植付装置昇降レバー２０の植付クラッチ接続操作側への弾性付勢力よりも大きくなるように設定している。
【００５７】
このようにして、植付クラッチ接続・切断アーム５９の切断方向への弾性付勢力が、植付装置昇降レバー２０の植付クラッチ接続操作側への弾性付勢力よりも大きくなるように設定しているため、これらの弾性付勢力の差の大きさ分だけ仮止め体の仮止め方向の弾性付勢力を軽減することができて、変速レバー１８の後進変速操作力を軽減することができる。
【００５８】
その結果、後進姿勢保持手段の作用力を軽減することができる。
【００５９】
図７は、他実施例としての植付装置上昇操作側付勢手段５４を示しており、同植付装置上昇操作側付勢手段５４は、支点越え部材６７と上昇操作用引張スプリング６８とを、同上昇操作用引張スプリング６８を形成する線材により一体成形して、製造コストを安価なものとしている。
【００６０】
また、本実施例では、変速連動アーム６３ａと仮止め体５１の下部との間に連動連結ロッド６４を介設しているが、同連動連結ロッド６４に代えて連動ワイヤを設けることもできる。
【００６１】
この場合、連動ワイヤには引張方向の弾性付勢力を付与して、変速レバー１８を前進変速操作した際に弛緩されて撓まないようにする。そうすることによって、ステアリング機構との干渉等を防止することができる。
【００６２】
【発明の効果】
（１）請求項１記載の本発明では、被仮止め体に、植付装置上昇操作側に弾性付勢する植付装置上昇操作側付勢手段を連結すると共に、同植付装置上昇操作側付勢手段に支点越え部材を設けて、植付装置昇降レバーの植付装置下降操作及び植付クラッチ接続操作時に、上記支点越え部材が植付装置昇降レバーの回動支点を越えて、同植付装置昇降レバーを被仮止め体を介して植付クラッチ接続操作側に弾性付勢すべく構成している。
【００６３】
このようにして、変速レバーの後進変速操作に植付装置昇降レバーの植付装置上昇操作を連動させることができると共に、同植付装置昇降レバーを被仮止め体を介して植付装置上昇操作側付勢手段により植付クラッチ切断操作側に弾性付勢することができる。
【００６４】
また、植付装置昇降レバーの植付装置下降操作及び植付クラッチ接続操作時には、植付装置上昇操作側付勢手段に設けた支点越え部材が植付装置昇降レバーの回動支点を越えて、同植付装置昇降レバーを被仮止め体を介して植付クラッチ接続操作側に弾性付勢することができる。
【００６５】
従って、被仮止め体を仮止めして、植付装置昇降レバーを植付装置下降操作位置ないしは植付クラッチ接続操作位置に保持する仮止め体の仮止め方向への弾性付勢力を低減させることができる。
【００６６】
その結果、かかる仮止め体の仮止め方向への弾性付勢力に抗して変速レバーを後進操作して、同仮止め体を仮止め解除動作させる操作力を軽減することができると共に、同変速レバーを後進姿勢に保持する後進姿勢保持手段の作用力を軽減することができる。そのため、後進姿勢保持手段の作用力が軽減される。
【００６７】
（２）請求項２記載の本発明では、植付クラッチ接続・切断アームの切断方向への弾性付勢力は、植付装置昇降レバーの植付クラッチ接続操作側への弾性付勢力よりも大きくなるように設定している。
【００６８】
このようにして、植付クラッチ接続・切断アームの切断方向への弾性付勢力が、植付装置昇降レバーの植付クラッチ接続操作側への弾性付勢力よりも大きくなるように設定しているため、これらの弾性付勢力の差の大きさ分だけ仮止め体の仮止め方向の弾性付勢力を軽減することができて、変速レバーの後進変速操作力を軽減することができる。
【００６９】
その結果、後進姿勢保持手段の作用力を軽減することができる。
【図面の簡単な説明】
【図１】本発明に係る乗用田植機の側面図。
【図２】同乗用田植機の平面図。
【図３】バック連動機構の側面図。
【図４】同バック連動機構の一部拡大側面図。
【図５】スプール押圧作用片の側面説明図。
【図６】バック連動機構の一部拡大平面図。
【図７】他実施例としての植付装置上昇操作側付勢手段の側面図。
【符号の説明】
Ａ  乗用田植機
１  走行機体
２  昇降連結機構
３  植付装置
４  機体フレーム
５  原動機部
６  運転部
【図１】
2004275144.tif 000003
【図２】
2004275144.tif 000004
【図３】
2004275144.tif 000005
【図４】
2004275144.tif 000006
【図５】
2004275144.tif 000007
【図６】
2004275144.tif 000008
【図７】
2004275144.tif 000009